(57)【要約】【課題】シーケンスコントローラなどのプログラム開発において、プログラム開発目的の機械制御盤配線完了前に机上でプログラム開発を行う際に、ハード部である入力信号発生装置及び出力信号表示装置を狭い机上で操作出来る小型で繰り返し使用でき簡単に構築できる、入出力装置用プログラム検証装置が求められていた。【解決手段】小型のスイッチを連続的に並べて取り付けし、信号名称を記入した名称板を着脱できる透明樹脂製の名称板装着具をスイッチ群近くに取り付け、配線接続用のコネクタを備えた入力信号発生装置と、同様に小型のランプを並べて取り付けし、信号名称を記入した名称板を着脱できる透明樹脂製の名称板装着具をランプ群近くに取り付け、配線接続用のコネクタを備えた出力信号表示装置を、シーケンスコントローラなどの入出力装置と配線接続用電線で接続させた、小型で片手で持て、簡単に構築でき、繰り返し使用出来る、プログラム開発目的の擬似制御盤として、入出力装置用プログラム検証装置を提供する。【選択図】図１
2014026627.tif 000002
【特許請求の範囲】
【請求項１】
連続的に並べて取り付けられるスイッチ群と、スイッチ群の近くに取り付けられて、信号名称を表示する着脱自在のスイッチ側名称板と、スイッチ群と接続されて、入出力装置と接続され得るスイッチ側コネクタと、連続的に並べて取り付けられるランプ群と、ランプ群の近くに取り付けられて、信号名称を表示する着脱自在のランプ側名称板と、ランプ群と接続されて、入出力装置と接続され得るランプ側コネクタと、備えており、スイッチ群の操作とランプ群の点灯によって入出力装置のプログラムを検証する事を特徴とする、入出力装置用プログラム検証装置。
【請求項２】
請求項１において、更に、
スイッチ群及びランプ群の少なくともいずれかを収納するケースを備える事を特徴とする、入出力装置用プログラム検証装置。
【請求項３】
請求項２において、更に、
ケースに切欠きを形成して、スイッチ側コネクタ及びランプ側コネクタの少なくともいずれかの上面を露出させた事を特徴とする、入出力装置用プログラム検証装置。
【請求項４】
請求項２又３において、更に、前記ケースとして、
スイッチ群を収納するスイッチ群収納ケースと、ランプ群を収納するランプ群収納ケースを備えることを特徴とする、入出力装置用プログラム検証装置。
【請求項５】
請求項２又３において、更に、前記ケースとして、
スイッチ群とランプ群をまとめて収納する一体型収納ケースを備えることを特徴とする、入出力装置用プログラム検証装置。
【請求項６】
請求項１から５のいずれかにおいて、更に、
スイッチ側名称板及びランプ側名称板のいずれかは、帯状に構成されて信号名称を表示する名称板と、前記名称板の長手方向にのびる両縁を保持すると共に、前記名称板の上面の中央を長手方向に沿って開放する名称板装着具とを備えることを特徴とする、入出力装置用プログラム検証装置。
【請求項７】
請求項３において、更に、
前記コネクタの上面は、ケースに形成される切欠きよりも上方向に突出した状態となっていることを特徴とする、入出力装置用プログラム検証装置。
【請求項８】
請求項２において、更に、
前記ケースとして、スイッチ群、スイッチ側名称板、スイッチ群、スイッチ側名称板の順に配置したことを特徴とする、入出力装置用プログラム検証装置。
【請求項９】
請求項２において、更に、
前記ケースとして、ランプ群、ランプ側名称板、ランプ群、ランプ側名称板の順に配置したことを特徴とする、入出力装置用プログラム検証装置。
【請求項１０】
請求項５において、更に、
前記ケースとして、スイッチ群、スイッチ側名称板、ランプ群、ランプ側名称板の順に配置したことを特徴とする、入出力装置用プログラム検証装置。
【請求項１１】
請求項５において、更に、
前記ケースとして、スイッチ群、スイッチ側名称板、ランプ側名称板、ランプ群の順に配置したことを特徴とする、入出力装置用プログラム検証装置。
【発明の詳細な説明】
【技術分野】
【０００１】プログラム開発に於いて、シーケンスコントローラ、プログラマブルロジックコントローラ、ＣＰＵ基板などの入力装置への入力信号発生装置及び出力装置からの出力信号を表示する、入出力装置用プログラム検証装置に関するものである。
【背景技術】
【０００２】従来の入出力装置用プログラム検証装置は、プログラム開発目的の機械専用の擬似制御盤を製作するか、実際の制御盤が出来上がるまで待ってプログラム開発を行っていた。
【発明の概要】
【発明が解決しようとする課題】
【０００３】シーケンスコントローラなどのプログラム開発に於いて、プログラム開発目的の機械制御盤配線完了前に机上でプログラム開発を行う際には、擬似制御盤である入力信号発生装置及び出力信号表示装置の入出力装置用プログラム検証装置を作る必要がある。【０００４】ハード部である入力信号発生装置及び出力信号表示装置を狭い机上で操作出来る小型で簡単に構築でき、繰り返し使用出来る装置が求められている。【０００５】従来は、入力信号発生装置及び出力信号表示装置を作るには、小型のスイッチ及びランプを板に取り付けて信号名称を記入し、シーケンスコントローラなどの入出力装置と配線して、その都度専用の入力信号発生装置及び出力信号表示装置を製作していたので、製作に手間がかかると共に多くの専用入出力装置用プログラム検証装置を持つ事になった。
【発明が解決するための手段】
【０００６】小型のスイッチを連続的に並べて取り付けてスイッチ群を形成して、信号名称を記入したスイッチ側名称板を作成し、スイッチ側名称板の着脱が自在にでき装着後信号名称が読める透明樹脂製などの名称板装着具をスイッチ群の近くに取り付ける。
【０００７】同様に小型のランプを並べて取り付けてランプ群を形成して、信号名称を記入したランプ側名称板を作成し、ランプ側名称板の着脱が自在にでき装着後信号名称が読める透明樹脂製などの名称板装着具をランプ群の近くに取り付ける。
【０００８】シーケンスコントローラなどの入出力装置と、スイッチ群及びランプ群を配線接続する為のスイッチ側コネクタ及びランプ側コネクタを備えたハード部を、小型で簡単に構築でき繰り返し使用出来る、入出力装置用プログラム検証装置として提供する。
【発明の効果】
【０００９】小型のスイッチ及びランプを連続的に並べて取り付けた片手で持てる小型な装置なので、机上の狭い場所でも違和感無く設置してプログラムの開発検証が出来る。
【００１０】シーケンスコントローラなどとの配線もコネクタで容易に接続でき、信号名称もスイッチ側名称板、ランプ側名称板を作成して透明樹脂製などの名称板装着具に差し込むだけで、開発目的の入出力装置用プログラム検証装置を簡単に構築できる。
【００１１】開発終了後のソフト追加及びソフト改造も名称板を保存して置けば、コネクタで接続配線して名称板を名称板装着具に差し込むだけで、入出力装置用プログラム検証装置を簡単に構築できる。
【００１２】この装置は繰り返し使用出来るので多くの専用入出力装置用プログラム検証装置を持つ必要が無くなる。
【００１３】全体に片手で持てる小型な装置なので、プログラム開発目的の擬似制御盤が簡単に構築でき、繰り返し使用出来る機構となっている。
【図面の簡単な説明】
【００１４】名称板装着具は、透明な樹脂などで出来ている。【００１５】
【図１】本発明の実施例の全体図である。
【図２】本発明の実施例の全体図である。
【図３】本発明の実施例で、スイッチを並べたスイッチ群の入力信号発生装置、全体図である。
【図４】本発明の実施例で、ランプを並べたランプ群の出力信号表示装置、全体図である。
【図５】本発明の実施例で、スイッチ群を収納する為のスイッチ群収納ケース図である。
【図６】本発明の実施例で、ランプ群を収納する為のランプ群収納ケース図である。
【図７】本発明の実施例で、コネクタ上面を露出させる為に、スイッチ側コネクタ部に切欠きを持ったスイッチ群収納ケース図である。
【図８】本発明の実施例で、コネクタ上面を露出させる為に、ランプ側コネクタ部に切欠きを持ったランプ群収納ケース図である。
【図９】本発明の実施例で、スイッチ側コネクタ上面を露出させた入力信号発生装置図である。
【図１０】本発明の実施例で、コネクタが切欠きより上方向に突出した図である。
【図１１】本発明の実施例で、スイッチ群を収納する為のスイッチ群収納ケース図である。
【図１２】本発明の実施例で、ランプ群を収納する為のランプ群収納ケース図である。
【図１３】本発明の実施例で、スイッチ群とランプ群をまとめて収納する、一体型収納ケース図である。
【図１４】本発明の実施例で、スイッチ側名称板とランプ側名称板の作成例図である。
【図１５】本発明の実施例で、透明樹脂製の名称板装着具の部分図である。
【図１６】本発明の実施例で、ランプ側名称板を名称板装着具への着脱途中の図である。
【図１７】本発明の実施例で、ランプ側名称板を透明樹脂製の名称板装着具へ装着した図である。
【図１８】ランプ側名称板を透明樹脂製の名称板装着具に装着した状態のＡ−Ａ線切断図である。
【図１９】本発明の実施例で、スイッチ群、スイッチ側名称板、スイッチ群、スイッチ側名称板の順に配置した入力発生装置図である。
【図２０】本発明の実施例で、ランプ群、ランプ側名称板、ランプ群、ランプ側名称板の順に配置した出力信号表示装置図である。
【図２１】本発明の実施例でで、スイッチ群、スイッチ側名称板、ランプ群、ランプ側名称板の順に配置した、スイッチランプ一体型の信号発生表示装置図である。
【図２２】本発明の実施例で、スイッチ群、スイッチ側名称板、ランプ側名称板、ランプ群の順に配置した、スイッチランプ一体型の信号発生表示装置図である。
【図２３】本発明の実施例でロータリーエンコーダを配置した入力信号発生装置図である。
【図２４】本発明の実施例で数字表示器を配置した出力信号表示装置図である。
【発明を実施するための形態】
【００１６】図１は、シーケンスコントローラ１などの入出力装置と入力信号発生装置３や出力信号表示装置４を配線接続するための配線接続用電線２０などで接続し、入力信号発生装置３や出力信号表示装置４の電源供給を電源供給用コネクタ２１などで行った全体図である。
【００１７】図２は、シーケンスコントローラ１などの入出力装置とスイッチを連続的に並べたスイッチ群６とランプを連続的に並べたランプ群１０をまとめた信号発生表示装置２を、配線接続するための配線接続用電線２０などで接続し、電源供給を電源供給用コネクタ２１などで行った全体図である。
【００１８】まず図３のように小型のスイッチ５を連続的に並べて取り付けたスイッチ群６を形成し、信号名称を記入したスイッチ側名称板７を着脱が自在にできる透明樹脂製などの名称板装着具１３をスイッチ群６の近くに取り付けて、シーケンスコントローラ１などの入出力装置と配線接続する為のスイッチ側コネクタ８を備え、配線接続用電線２０などで接続して、プログラムの入力信号が検証できる、図１、図３、及び図１９などの入力信号発生装置３を製作する。
【００１９】次に図４のように小型のランプ９を連続的に並べて取り付けランプ群１０を形成し、信号名称を記入したランプ側名称板１１を自在に着脱できる透明樹脂製などの名称板装着具１３をランプ群１０の近くに取り付けて、シーケンスコントローラ１などの入出力装置と配線接続する為のランプ側コネクタ１２を備え、配線接続用電線２０などで接続して、プログラムの出力信号が検証できる、図１、図４、及び図２０などの出力信号表示装置４を製作する。
【００２０】同様に図２３は、ロータリーエンコーダー１７を並べた入力信号発生装置３であり、図２４は、数字表示器１８を並べた出力信号表示装置４である。
【００２１】図５は、角型のスイッチ５を連続的に取り付けたスイッチ群６を収納する為に、角穴を連続的に明けた角穴群２２を設け、シーケンスコントローラ１などの入出力装置と配線接続する為のコネクタ用穴２４を設けたスイッチ群収納ケース１４である。又、角型ＬＥＤのランプ９を収納すれば、ランプ群収納ケース１５にもなる。
【００２２】図６は、丸型のランプ９を連続的に取り付けたランプ群１０を収納する為に、丸穴を連続的に明けた丸穴群２３を設け、シーケンスコントローラ１などの入出力装置と配線接続する為のコネクタ用穴２４を設けたランプ群収納ケース１５である。又、丸型のスイッチ５を収納すれば、スイッチ群収納ケース１４にもなる。
【００２３】信号発生表示装置２や入力信号発生装置３を使用する時は、手持ちして操作をする。
其の為には、軽くて手持ちが良く、しかも操作性も良くする必要がある。
その対応として、ケースの厚さを薄くした方が良い。
図１０は、スイッチ５とスイッチ側コネクタ８を一枚のプリント基板上に取り付けスイッチ群収納ケース１４に収納して、下部から見た図であり、部品としてスイッチ５の高さよりスイッチ側コネクタ８の方が高いことを示している。
其の為に、図７、図８に示す切欠き形成部分１９を作成して、図９に示すように、その部分からスイッチ側コネクタ８を露出させて、ケースの厚さを薄くした図である。
【００２４】図１１は、角型のスイッチ５を連続的に取り付けたスイッチ群６を収納する為に、角穴を連続的に明けた角穴群２２を上下二段に設け、シーケンスコントローラ１などの入出力装置と配線接続する為のスイッチ側コネクタ８用穴として、ケースの厚さを薄くして手持ちや操作性を良くする為に切欠き形成部分１９を設けたスイッチ群収納ケース１４である。又、角型ＬＥＤのランプ９を収納すれば、ランプ群収納ケース１５にもなる。
【００２５】図１２は、丸型のランプ９を連続的に取り付けたランプ群１０を収納する為に、丸穴を連続的に明けた丸穴群２３を上下二段に設け、シーケンスコントローラ１などの入出力装置と配線接続する為のランプ側コネクタ１２用穴として、ケースの厚さを薄くして手持ちや操作性を良くする為に切欠き形成部分１９を設けた、ランプ群収納ケース１５である。又、丸型のスイッチ５を収納すれば、スイッチ群収納ケース１４にもなる。
【００２６】図１３は、スイッチ側コネクタ８用穴とランプ側コネクタ１２用穴として切欠き形成部分１９を設け、スイッチ群６を収納する角穴群２２と、ランプ群１０を収納する丸穴群２３を、ケース内にまとめて設けて、入出力装置の信号点数が少ない時に対応した、一体型収納ケース１６である。
【００２７】図１４は、帯状に構成されて信号名称を表示する名称板であり、スイッチ側名称板１１及びランプ側名称板１２の製作例図である。
このスイッチ側名称板７とランプ側名称板１１は、プログラム開発目的の機械制御盤の入出力信号名称は毎回異なるので、その都度専用の名称板を作成して保存しておく。
【００２８】図１５は、前記名称板の長手方向にのびる両縁を保持すると共に、前記名称板の上面の中央を長手方向に沿って開放する名称板装着具１３である。
名称板装着具１３は、透明な樹脂などで製作して、スイッチ側名称板７やランプ側名称板１１を装着した後に名称が読めるようにしてあり、両面接着テープなどで信号発生表示装置２や入力信号発生装置３や出力信号表示装置４に取り付けて使用する。
【００２９】図１６は、名称板装着具１３にスイッチ側名称板７やランプ側名称板１１を装着する途中図であり、名称板が着脱自在に行える事を示している図である。
又、名称板装着具１３は、図１５及び図１８のように上下両端が膨らみ、名称板の印刷文字側の中央に指先程の切れ込みがある構造となっており、名称板を名称板装着具１３に差込んだ後、切れ込みを利用して名称板を指先で押し、スライドさせながら所定の位置に容易に設置できる構造となっている。
【００３０】図１７は、名称板を名称板装着具１３に差込装着完了した図である。
図１８は、上記のＡ−Ａ切断面図であり名称板装着具１３は、上下両端が膨らみ空洞部分が形成され又、切れ込み開放部分があり、名称板を指先で押し抵抗感無しにスライド出来る構造となっている事を示す図である。
【００３１】図１９は、操作性を考慮し図の下から上方向に、スイッチ群６、スイッチ側名称板７、スイッチ群６、スイッチ側名称板７の順に配置した、入力信号発生装置３である。
【００３２】図２０は、操作性を考慮し図の下から上方向に、ランプ群１０、ランプ側名称板１１、ランプ群１０、ランプ側名称板１１、の順に配置した、出力信号表示装置４である。
【００３３】図２１は、操作性を考慮し図の下から上方向に、スイッチ群６、スイッチ側名称板７、ランプ群１０、ランプ側名称板１１、の順に配置した、信号発生表示装置２である。
【００３４】図２１は、操作性を考慮し図の下から上方向に、スイッチ群６、スイッチ側名称板７、ランプ側名称板１１、ランプ群１０、の順に配置した、信号発生表示装置２である。
【００３５】全体に片手で持てる小型な装置でプログラム検証のハード部を簡単に構築でき、繰り返し使用出来る機構となっている。
【実施例】
【００３６】本発明の実施例である図１、図２を用いて説明する。【００３７】図１に示すように、シーケンスコントローラ１の入出力信号の種類に応じた装置を図１９〜２４から選択して配線接続用電線２０により配線接続し、スイッチ側名称板７やランプ側名称板１１を名称板装着具１３に差込構築した本発明実施例である。【００３８】図２は、シーケンスコントローラ１の入出力信号点数が少ない場合に図２１の信号発生表示装置２を利用し、配線接続用電線２１などにより配線接続し、スイッチ側名称板７やランプ側名称板１１を名称板装着具１３に差込構築した本発明実施例である。【００３９】図１及び図２に示す実施例のように、シーケンスコントローラ１などの入出力信号点数及び種類にかかわらず、机上の狭い場所でも違和感無く設置出来、片手で持てる小型な装置で、コネクタで簡単に配線でき、繰り返し使用出来るプログラム開発目的の入出力装置用プログラム検証装置である。
【符号の説明】
【００４０】１  シーケンスコントローラ
２  信号発生表示装置
３  入力信号発生装置
４  出力信号表示装置
５  スイッチ
６  スイッチ群
７  スイッチ側名称板
８  スイッチ側コネクタ
９  ランプ
１０ランプ群
１１ランプ側名称板
１２ランプ側コネクタ
１３名称板装着具
１４スイッチ群収納ケース
１５ランプ群収納ケース
１６一体型収納ケース
１７ロータリーエンコーダ
１８数字表示器
１９切欠き形成部分
２０配線接続用電線
２１電源供給用コネクタ
２２角穴群
２３丸穴群
２４コネクタ用穴
【図１】
2014026627.tif 000003
【図２】
2014026627.tif 000004
【図３】
2014026627.tif 000005
【図４】
2014026627.tif 000006
【図５】
2014026627.tif 000007
【図６】
2014026627.tif 000008
【図７】
2014026627.tif 000009
【図８】
2014026627.tif 000010
【図９】
2014026627.tif 000011
【図１０】
2014026627.tif 000012
【図１１】
2014026627.tif 000013
【図１２】
2014026627.tif 000014
【図１３】
2014026627.tif 000015
【図１４】
2014026627.tif 000016
【図１５】
2014026627.tif 000017
【図１６】
2014026627.tif 000018
【図１７】
2014026627.tif 000019
【図１８】
2014026627.tif 000020
【図１９】
2014026627.tif 000021
【図２０】
2014026627.tif 000022
【図２１】
2014026627.tif 000023
【図２２】
2014026627.tif 000024
【図２３】
2014026627.tif 000025
【図２４】
2014026627.tif 000026